(57)【要約】【課題】  撮影時における不具合の発生を防止する。【解決手段】  被写体を撮像するための撮像装置１の一部を構成し、被写体の像を導く第１の光学系の第１の光路と、第１の光路と異なる像を導く第２の光学系の第２の光路とを同時に開閉する開閉部１４、１５と、開閉部と連結され所定の方向へ移動されて開閉部を動作させる駆動機構１２、１３とを設けた。  これにより、第１の光路と第２の光路のうちの一方の光路が開放されたときに他方の光路が開放されないと言うような不具合の発生を防止することができる。また、第１の光路と第２の光路の開放時において両者の開放タイミングに時間差が生じると言うような不具合の発生を防止することができる。【選択図】        図２
2012141424.tif 000002
【特許請求の範囲】
【請求項１】
被写体を撮像するための撮像装置の一部を構成するバリア装置であって、
前記被写体の像を導く第１の光学系の第１の光路と、前記第１の光路と異なる像を導く第２の光学系の第２の光路とを同時に開閉する開閉部と、
前記開閉部と連結され所定の方向へ移動されて前記開閉部を動作させる駆動機構とを備える
バリア装置。
【請求項２】
前記開閉部は一対の遮蔽部材を有し、
前記駆動機構は一対の駆動アームを有し、
前記一対の遮蔽部材と前記一対の駆動アームとによって平行リンク機構を構成する
請求項１に記載のバリア装置。
【請求項３】
前記一対の駆動アームがそれぞれ回動可能とされ、
前記一対の駆動アームに回動支点を挟んだ反対側にそれぞれ第１の連結部と第２の連結部が設けられ、
一方の前記駆動アームは前記第１の連結部が一方の前記遮蔽部材と回動可能な状態で連結され前記第２の連結部が他方の前記遮蔽部材と回動可能な状態で連結され、
他方の前記駆動アームは前記第１の連結部が他方の前記遮蔽部材と回動可能な状態で連結され前記第２の連結部が一方の前記遮蔽部材と回動可能な状態で連結された
請求項２に記載のバリア装置。
【請求項４】
前記一対の駆動アームがそれぞれ所定の面に沿ってそれぞれ回動可能とされ、
前記第１の光学系が像を導くための第１の開口部と前記第２の光学系が像を導くための第２の開口部とが形成され、
前記一対の駆動アームの少なくとも一方の回動支点が前記開口部の開口方向から見て前記第１の開口部と前記第２の開口部の間に位置するようにした
請求項２に記載のバリア装置。
【請求項５】
前記一対の駆動アームの各回動支点が前記開口方向に直交し前記第１の開口部と前記第２の開口部の並び方向に直交する方向において離隔する位置に設けられた
請求項４に記載のバリア装置。
【請求項６】
前記一対の駆動アームをそれぞれ回動自在に支持する支持ベースを設け、
前記支持ベースに前記一対の駆動アームの前記支持ベースからの浮き上がりをそれぞれ規制する規制部を設けた
請求項２に記載のバリア装置。
【請求項７】
前記一対の駆動アームがそれぞれ前記開口方向に直交する方向に延びる形状に形成され、
前記一対の駆動アームの各回動支点がそれぞれ長手方向における中央部に形成され、
前記各規制部が前記一対の駆動アームの長手方向における中央部にそれぞれ対向して位置するようにした
請求項６に記載のバリア装置。
【請求項８】
前記一対の駆動アームをそれぞれ回動自在に支持する支持ベースを設け、
前記支持ベースに前記一対の駆動アームをそれぞれ押さえて前記一対の遮蔽部材との連結状態を保持する押さえ部を設けた
請求項２に記載のバリア装置。
【請求項９】
前記第１の光学系が像を導くための第１の開口部と前記第２の光学系が像を導くための第２の開口部とが形成され、
前記一対の遮蔽部材に、それぞれ前記第１の開口部と前記第２の開口部の並び方向に延びる遮光部と、前記遮光部にそれぞれ連続し前記開口部の開口方向に直交し前記第１の開口部と前記第２の開口部の並び方向に直交する方向に延びる連結用突部とを設け、
一方の前記遮蔽部材の開閉部における長手方向に延びる一方の側縁と他方の前記遮蔽部材の開閉部における長手方向に延びる一方の側縁とが前記光軸方向において重なって前記第１の開口部と前記第２の開口部が閉塞され、
一方の前記遮蔽部材の遮光部の長手方向における一方の端縁と他方の前記遮蔽部材の連結用突部とが前記開口方向において重なった状態とされ、
前記遮光部の端縁と前記連結用突部とが重なる方向が、前記連結用突部に連続して位置する前記遮光部の側縁と他方の前記遮光部の側縁とが重なる方向に対して反対方向にされた
請求項２に記載のバリア装置。
【請求項１０】
前記第１の光学系が像を導くための第１の開口部と前記第２の光学系が像を導くための第２の開口部とが形成され、
前記一対の駆動アームを移動させるアクチュエーターを設け、
前記アクチュエーターを前記第１の開口部と前記第２の開口部の間に配置した
請求項２に記載のバリア装置。
【請求項１１】
被写体を撮像するための撮像装置であって、
前記被写体の像を導く第１の光学系を有する第１のレンズ鏡筒と、
前記第１の光学系と異なる像を導く第２の光学系を有する第２のレンズ鏡筒と、
前記第１のレンズ鏡筒と前記第２のレンズ鏡筒の一端部に取り付けられたバリア装置とを備え、
前記バリア装置は、前記第１の光学系の第１の光路と前記第２の光学系の第２の光路とを同時に開閉する開閉部と、前記開閉部と連結され所定の方向へ移動されて前記開閉部を動作させる駆動機構とを有する
撮像装置。
【発明の詳細な説明】
【技術分野】
【０００１】
本発明はバリア装置及び撮像装置についての技術分野に関する。詳しくは、第１の光学系の第１の光路と第２の光学系の第２の光路とを同時に開閉して撮影時における不具合の発生を防止する技術分野に関する。
【背景技術】
【０００２】
ビデオカメラやスチルカメラ等の各種の撮像装置には、内部にレンズ等が配置されたレンズ鏡筒が設けられ、レンズ鏡筒の先端部に被写体の像を導くための光路を開閉するバリア装置が取り付けられたものがある（例えば、特許文献１参照）。
【０００３】
このようなバリア装置には、複数の遮蔽部材が設けられ、遮蔽部材が所定の方向へ移動されることによりレンズ鏡筒の光路が開閉される。バリア装置によって光路が開放されることにより、被写体の撮影が可能となり、バリア装置によって光路が閉塞されることにより、被写体の撮影が不能となると共にレンズ等に対する塵埃等の付着が防止される。
【０００４】
上記のような撮像装置において、近年、立体画像（３Ｄ画像）の撮影が可能なタイプが提案されている。このような撮像装置には、二つのレンズ鏡筒が設けられ、各レンズ鏡筒に配置された各レンズ光学系を介してそれぞれ被写体の像を同時に取り込んで立体画像の撮影が行われるようにされている。
【０００５】
【特許文献１】特開２０１０−１５２１０４号公報
【発明の開示】
【発明が解決しようとする課題】
【０００６】
ところが、上記のような立体画像の撮影が可能とされた撮像装置において、二つのレンズ鏡筒にそれぞれバリア装置を取り付けて各レンズ鏡筒の光路をそれぞれのバリア装置によって開閉しようとすると、撮影時に以下のような不具合を生じるおそれがある。
【０００７】
例えば、一方のバリア装置によって一方の光路が開放されたときに他方のバリア装置の動作不良により他方の光路が開放されなかったときに、一方のレンズ光学系を介して被写体の像を取り込んで撮影を行うことは可能であるが、立体画像の撮影を行うことができなくなってしまう。
【０００８】
また、一方のバリア装置によって開放される一方の光路の開放速度と他方のバリア装置によって開放される他方の光路の開放速度とが異なってしまうと、撮影の開始までの時間が遅れて撮影の機会を逸したり、不完全な立体画像が生成されるおそれがある。
【０００９】
そこで、本発明バリア装置及び撮像装置は、上記した問題点を克服し、撮影時における不具合の発生を防止することを課題とする。
【課題を解決するための手段】
【００１０】
バリア装置は、上記した課題を解決するために、被写体を撮像するための撮像装置の一部を構成し、前記被写体の像を導く第１の光学系の第１の光路と、前記第１の光路と異なる像を導く第２の光学系の第２の光路とを同時に開閉する開閉部と、前記開閉部と連結され所定の方向へ移動されて前記開閉部を動作させる駆動機構とを備えたものである。
【００１１】
従って、バリア装置にあっては、駆動アームがそれぞれ所定の方向へ移動されて遮蔽部材が動作されて第１の光路と第２の光路が同時に開閉される。
【００１２】
上記したバリア装置においては、前記開閉部は一対の遮蔽部材を有し、前記駆動機構は一対の駆動アームを有し、前記一対の遮蔽部材と前記一対の駆動アームとによって平行リンク機構を構成することが望ましい。
【００１３】
一対の駆動アームと一対の遮蔽部材とによって平行リンク機構を構成することにより、第１の光路と第２の光路を同時に開閉する機構として最適な機構が構成される。
【００１４】
上記したバリア装置においては、前記一対の駆動アームがそれぞれ回動可能とされ、前記一対の駆動アームに回動支点を挟んだ反対側にそれぞれ第１の連結部と第２の連結部が設けられ、一方の前記駆動アームは前記第１の連結部が一方の前記遮蔽部材と回動可能な状態で連結され前記第２の連結部が他方の前記遮蔽部材と回動可能な状態で連結され、他方の前記駆動アームは前記第１の連結部が他方の前記遮蔽部材と回動可能な状態で連結され前記第２の連結部が一方の前記遮蔽部材と回動可能な状態で連結されることが望ましい。
【００１５】
一対の駆動アームが一対の遮蔽部材と回動可能な状態で連結されることにより、一対の駆動部材の移動時に一対の駆動部材に対して一対の駆動アームが回動される。
【００１６】
上記したバリア装置においては、前記一対の駆動アームがそれぞれ所定の面に沿ってそれぞれ回動可能とされ、前記第１の光学系が像を導くための第１の開口部と前記第２の光学系が像を導くための第２の開口部とが形成され、前記一対の駆動アームの少なくとも一方の回動支点が前記開口部の開口方向から見て前記第１の開口部と前記第２の開口部の間に位置することが望ましい。
【００１７】
一対の駆動アームの少なくとも一方の回動支点が第１の開口部と第２の開口部の間の光軸方向における所定の位置に設けられることにより、第１の開口部と第２の開口部の間の生じるスペースに少なくとも一方の回動支点が位置される。
【００１８】
上記したバリア装置においては、前記一対の駆動アームの各回動支点が前記開口方向に直交し前記第１の開口部と前記第２の開口部の並び方向に直交する方向において離隔する位置に設けられることが望ましい。
【００１９】
一対の駆動アームの各回動支点が開口方向に直交し第１の開口部と第２の開口部の並び方向に直交する方向において離隔する位置に設けられることにより、第１の開口部と第２の開口部の並び方向におけるスペースが最小化される。
【００２０】
上記したバリア装置においては、前記一対の駆動アームをそれぞれ回動自在に支持する支持ベースを設け、前記支持ベースに前記一対の駆動アームの前記支持ベースからの浮き上がりをそれぞれ規制する規制部を設けることが望ましい。
【００２１】
支持ベースに一対の駆動アームの支持ベースからの浮き上がりをそれぞれ規制する規制部を設けることにより、一対の駆動アームの支持ベースから浮き上がる動作が抑制される。
【００２２】
上記したバリア装置においては、前記一対の駆動アームがそれぞれ前記開口方向に直交する方向に延びる形状に形成され、前記一対の駆動アームの各回動支点がそれぞれ長手方向における中央部に形成され、前記各規制部が前記一対の駆動アームの長手方向における中央部にそれぞれ対向して位置することが望ましい。
【００２３】
一対の駆動アームの各回動支点がそれぞれ長手方向における中央部に形成され、各規制部が一対の駆動アームの長手方向における中央部にそれぞれ対向して位置することにより、一対の駆動アームの長手方向における中央部において駆動アームの支持ベースから浮き上がる動作が抑制される。
【００２４】
上記したバリア装置においては、前記一対の駆動アームをそれぞれ回動自在に支持する支持ベースを設け、前記支持ベースに前記一対の駆動アームをそれぞれ押さえて前記一対の遮蔽部材との連結状態を保持する押さえ部を設けることが望ましい。
【００２５】
支持ベースに一対の駆動アームをそれぞれ押さえて一対の遮蔽部材との連結状態を保持する押さえ部を設けることにより、一対の遮蔽部材の支持ベースからの脱落が防止される。
【００２６】
上記したバリア装置においては、前記第１の光学系が像を導くための第１の開口部と前記第２の光学系が像を導くための第２の開口部とが形成され、前記一対の遮蔽部材に、それぞれ前記第１の開口部と前記第２の開口部の並び方向に延びる遮光部と、前記遮光部にそれぞれ連続し前記開口部の開口方向に直交し前記第１の開口部と前記第２の開口部の並び方向に直交する方向に延びる連結用突部とを設け、一方の前記遮蔽部材の開閉部における長手方向に延びる一方の側縁と他方の前記遮蔽部材の開閉部における長手方向に延びる一方の側縁とが前記光軸方向において重なって前記第１の開口部と前記第２の開口部が閉塞され、一方の前記遮蔽部材の遮光部の長手方向における一方の端縁と他方の前記遮蔽部材の連結用突部とが前記開口方向において重なった状態とされ、前記遮光部の端縁と前記連結用突部とが重なる方向が、前記連結用突部に連続して位置する前記遮光部の側縁と他方の前記遮光部の側縁とが重なる方向に対して反対方向にされることが望ましい。
【００２７】
遮光部の端縁と連結用突部とが重なる方向が、連結用突部に連続して位置する遮光部の側縁と他方の遮光部の側縁とが重なる方向に対して反対方向にされることにより、一対の遮光部が閉塞された状態における一対の遮蔽部材の密着性が向上する。
【００２８】
上記したバリア装置においては、前記第１の光学系が像を導くための第１の開口部と前記第２の光学系が像を導くための第２の開口部とが形成され、前記一対の駆動アームを移動させるアクチュエーターを設け、前記アクチュエーターを前記第１の開口部と前記第２の開口部の間に配置することが望ましい。
【００２９】
一対の駆動アームを移動させるアクチュエーターを設け、アクチュエーターを、第１の開口部と第２の開口部の間に配置することにより、第１の開口部と第２の開口部の間に生じるスペースにアクチュエーターが位置される。
【００３０】
撮像装置は、上記した課題を解決するために、被写体を撮像するための撮像装置であって、前記被写体の像を導く第１の光学系を有する第１のレンズ鏡筒と、前記第１の光学系と異なる像を導く第２の光学系を有する第２のレンズ鏡筒と、前記第１のレンズ鏡筒と前記第２のレンズ鏡筒の一端部に取り付けられたバリア装置とを備え、前記バリア装置は、前記第１の光学系の第１の光路と前記第２の光学系の第２の光路とを同時に開閉する開閉部と、前記開閉部と連結され所定の方向へ移動されて前記開閉部を動作させる駆動機構とを有するものである。
【００３１】
従って、撮像装置にあっては、バリア装置の駆動アームがそれぞれ所定の方向へ移動されて遮蔽部材が動作されて第１の光路と第２の光路が同時に開閉される。
【発明の効果】
【００３２】
本発明バリア装置は、被写体を撮像するための撮像装置の一部を構成するバリア装置であって、前記被写体の像を導く第１の光学系の第１の光路と、前記第１の光路と異なる像を導く第２の光学系の第２の光路とを同時に開閉する開閉部と、前記開閉部と連結され所定の方向へ移動されて前記開閉部を動作させる駆動機構とを備えている。
【００３３】
従って、第１の光路と第２の光路のうちの一方の光路が開放されたときに他方の光路が開放されないと言うような不具合の発生を防止することができ、遮蔽部材の動作により常に所望の撮影状態を確保することができる。
【００３４】
また、第１の光路と第２の光路の開放時において両者の開放タイミングに時間差が生じると言うような不具合の発生を防止することができ、撮影の開始までの時間の遅れを生じることがなく良好な撮影の機会を確保することができる。
【００３５】
請求項２に記載した発明にあっては、前記開閉部は一対の遮蔽部材を有し、前記駆動機構は一対の駆動アームを有し、前記一対の遮蔽部材と前記一対の駆動アームとによって平行リンク機構を構成している。
【００３６】
従って、第１の光路と第２の光路を同時に開閉する機構として最適な機構が用いられており、簡素な機構によって第１の光路と第２の光路を同時に容易に開閉することができる。
【００３７】
請求項３に記載した発明にあっては、前記一対の駆動アームがそれぞれ回動可能とされ、前記一対の駆動アームに回動支点を挟んだ反対側にそれぞれ第１の連結部と第２の連結部が設けられ、一方の前記駆動アームは前記第１の連結部が一方の前記遮蔽部材と回動可能な状態で連結され前記第２の連結部が他方の前記遮蔽部材と回動可能な状態で連結され、他方の前記駆動アームは前記第１の連結部が他方の前記遮蔽部材と回動可能な状態で連結され前記第２の連結部が一方の前記遮蔽部材と回動可能な状態で連結されている。
【００３８】
従って、一対の遮蔽部材を一対の駆動アームによって確実かつ容易に移動させることが可能であり、一対の遮蔽部材の動作の適正化を図ることができる。
【００３９】
請求項４に記載した発明にあっては、前記一対の駆動アームがそれぞれ所定の面に沿ってそれぞれ回動可能とされ、前記第１の光学系が像を導くための第１の開口部と前記第２の光学系が像を導くための第２の開口部とが形成され、前記一対の駆動アームの少なくとも一方の回動支点が前記開口部の開口方向から見て前記第１の開口部と前記第２の開口部の間に位置するようにしている。
【００４０】
従って、第１の開口部と第２の開口部の間の部分にはスペースが存在するため、このスペースに一対の駆動アームの少なくとも一方の回動支点を設けることにより、スペースの有効活用による小型化を図ることができる。
【００４１】
請求項５に記載した発明にあっては、前記一対の駆動アームの各回動支点が前記開口方向に直交し前記第１の開口部と前記第２の開口部の並び方向に直交する方向において離隔する位置に設けられている。
【００４２】
従って、第１の開口部と第２の開口部の並び方向を最小化することが可能であり、一層の小型化を図ることができる。
【００４３】
請求項６に記載した発明にあっては、前記一対の駆動アームをそれぞれ回動自在に支持する支持ベースを設け、前記支持ベースに前記一対の駆動アームの前記支持ベースからの浮き上がりをそれぞれ規制する規制部を設けている。
【００４４】
従って、一対の駆動アームの回動時に不必要な動作が抑制され一対の駆動アームの適正な回動動作を確保することができる。
【００４５】
請求項７に記載した発明にあっては、前記一対の駆動アームがそれぞれ前記開口方向に直交する方向に延びる形状に形成され、前記一対の駆動アームの各回動支点がそれぞれ長手方向における中央部に形成され、前記各規制部が前記一対の駆動アームの長手方向における中央部にそれぞれ対向して位置するようにしている。
【００４６】
従って、一対の駆動アームの支持ベースに対する浮き上がりを効率的に防止することができる。
【００４７】
請求項８に記載した発明にあっては、前記一対の駆動アームをそれぞれ回動自在に支持する支持ベースを設け、前記支持ベースに前記一対の駆動アームをそれぞれ押さえて前記一対の遮蔽部材との連結状態を保持する押さえ部を設けている。
【００４８】
従って、一対の遮蔽部材の支持ベースからの脱落が防止され、バリア装置の組立時において一対の遮蔽部材の一対の駆動アームに対する連結状態が解除され難く、組立性の向上を図ることができる。
【００４９】
請求項９に記載した発明にあっては、前記第１の光学系が像を導くための第１の開口部と前記第２の光学系が像を導くための第２の開口部とが形成され、前記一対の遮蔽部材に、それぞれ前記第１の開口部と前記第２の開口部の並び方向に延びる遮光部と、前記遮光部にそれぞれ連続し前記開口部の開口方向に直交し前記第１の開口部と前記第２の開口部の並び方向に直交する方向に延びる連結用突部とを設け、一方の前記遮蔽部材の開閉部における長手方向に延びる一方の側縁と他方の前記遮蔽部材の開閉部における長手方向に延びる一方の側縁とが前記光軸方向において重なって前記第１の開口部と前記第２の開口部が閉塞され、一方の前記遮蔽部材の遮光部の長手方向における一方の端縁と他方の前記遮蔽部材の連結用突部とが前記開口方向において重なった状態とされ、前記遮光部の端縁と前記連結用突部とが重なる方向が、前記連結用突部に連続して位置する前記遮光部の側縁と他方の前記遮光部の側縁とが重なる方向に対して反対方向にされている。
【００５０】
従って、第１の開口部と第２の開口部が閉塞された状態において、一対の遮蔽部材の密着性が向上し、一対の遮蔽部材の閉塞状態の安定化を図ることができる。
【００５１】
請求項１０に記載した発明にあっては、前記第１の光学系が像を導くための第１の開口部と前記第２の光学系が像を導くための第２の開口部とが形成され、前記一対の駆動アームを移動させるアクチュエーターを設け、前記アクチュエーターを前記第１の開口部と前記第２の開口部の間に配置している。
【００５２】
従って、第１の開口部と第２の開口部の間の部分にはスペースが存在するため、このスペースにアクチュエーターを配置してスペースの有効活用を図ることにより小型化を図ることができる。
【００５３】
本発明撮像装置は、被写体を撮像するための撮像装置であって、前記被写体の像を導く第１の光学系を有する第１のレンズ鏡筒と、前記第１の光学系と異なる像を導く第２の光学系を有する第２のレンズ鏡筒と、前記第１のレンズ鏡筒と前記第２のレンズ鏡筒の一端部に取り付けられたバリア装置とを備え、前記バリア装置は、前記第１の光学系の第１の光路と前記第２の光学系の第２の光路とを同時に開閉する開閉部と、前記開閉部と連結され所定の方向へ移動されて前記開閉部を動作させる駆動機構とを有している。
【００５４】
従って、第１の光路と第２の光路のうちの一方の光路が開放されたときに他方の光路が開放されないと言うような不具合の発生を防止することができ、遮蔽部材の動作により常に所望の撮影状態を確保することができる。
【００５５】
また、第１の光路と第２の光路の開放時において両者の開放タイミングに時間差が生じると言うような不具合の発生を防止することができ、撮影の開始までの時間の遅れを生じることがなく良好な撮影の機会を確保することができる。
【発明を実施するための最良の形態】
【００５６】
以下に、本発明を実施するための最良の形態を添付図面に従って説明する。
【００５７】
以下に示した最良の形態は、本発明撮像装置をビデオカメラに適用し、本発明バリア装置をこのビデオカメラに設けられたバリア装置に適用したものである。尚、本発明の適用範囲はビデオカメラ及びビデオカメラに設けられたバリア装置に限られることはなく、例えば、スチルカメラや他の機器に組み込まれる各種の撮像装置及びこれらの撮像装置に設けられるバリア装置に広く適用することができる。
【００５８】
以下の説明にあっては、ビデオカメラの撮影時において撮影者から見た方向で前後上下左右の方向を示すものとする。従って、被写体側（光が入射する側：物体側）が前方となり、撮影者側（像側）が後方となる。
【００５９】
尚、以下に示す前後上下左右の方向は説明の便宜上のものであり、本発明の実施に関しては、これらの方向に限定されることはない。
【００６０】
［撮像装置の構成］
撮像装置１は、図１に示すように、装置本体２と装置本体２の前面に設けられた第１のレンズ鏡筒３及び第２のレンズ鏡筒４と第１のレンズ鏡筒３及び第２のレンズ鏡筒４の前端部に取り付けられたバリア装置５とを備えている。
【００６１】
装置本体２の外周面には操作部６、６、・・・が配置されている。操作部６、６、・・・としては、例えば、電源釦、録画釦、ズームスイッチ、モード切替摘子等が設けられている。
【００６２】
装置本体２の側面には表示パネル７が開閉自在に連結されている。表示パネル部７は表示部７ａとして、例えば、液晶ディスプレイを有している。
【００６３】
第１のレンズ鏡筒３と第２のレンズ鏡筒４は、例えば、左右に並んで結合された状態で設けられている。第１のレンズ鏡筒３と第２のレンズ鏡筒４はそれぞれ外筐となる略円筒状に形成された鏡筒部８、８と鏡筒部８、８の内部に前後方向に並んで配置された複数のレンズ等によって構成された光学系とを有している。鏡筒部８、８の内部空間は被写体の像を導く各光学系の光路として形成されている。
【００６４】
被写体の像は一方の鏡筒部８の内部に配置された光学系（第１の光学系）と他方の鏡筒部８の内部に配置された光学系（第２の光学系）とによってそれぞれ導かれる。
【００６５】
第１のレンズ鏡筒３と第２のレンズ鏡筒４の内部における前端部にはそれぞれ光学系の一部を構成する第１のレンズ９と第２のレンズ１０とが位置されている。第１のレンズ９と第２のレンズ１０は、例えば、左右方向において並んで配置されている。
【００６６】
［バリア装置の構成］
バリア装置５は支持ベース１１と第１の駆動アーム１２と第２の駆動アーム１３と第１の遮蔽部材１４と第２の遮蔽部材１５を備えている（図２乃至図５参照）。
第１の駆動アーム１２と第２の駆動アーム１３は所定の方向へ移動されて第１の遮蔽部材１４と第２の遮蔽部材１５を動作させる機能を有している。また、第１の遮蔽部材１４と第２の遮蔽部材１５は第１のレンズ９を有する光学系（第１の光学系）が配置された第１の光路と第２のレンズ１０を有する光学系（第２の光学系）が配置された第２の光路とを同時に開閉する開閉部としての機能を有している。
【００６７】
従って、バリア装置５は、被写体の像を導く第１の光学系の第１の光路と、第１の光路と異なる像を導く第２の光学系の第２の光路とを同時に開閉する開閉部として機能する第１の遮蔽部材１４及び第２の遮蔽部材１５と、開閉部と連結され所定の方向へ移動されて開閉部を動作させる駆動機構として機能する駆動アーム１２、１３とを備えている。
【００６８】
支持ベース１１は前後方向を向く板状のベース面部１６とベース面部１６の左右両端部からそれぞれ前方へ突出された第１の取付突部１７、１７とベース面部１６の上下両端部からそれぞれ前方へ突出された第２の取付突部１８、１８とを有している。
【００６９】
ベース面部１６には左右に離隔して円形状の開口部１６ａ、１６ａが形成されている。ベース面部１６における開口部１６ａ、１６ａの間の部分は、他の部分に対して前方へ膨出された膨出部１６ｂとして設けられている。ベース面部１６には膨出部１６ｂの上下にそれぞれ前方へ突出された支持軸１６ｃ、１６ｃが設けられている。ベース面部１６の下端部には下側の支持軸１６ｃの側方に挿通孔１６ｄが形成されている。
【００７０】
ベース面部１６の上端部にはそれぞれ前方へ突出されたストッパー突部１６ｅ、１６ｅが設けられ、ストッパー突部１６ｅ、１６ｅはそれぞれベース面部１６の左右両端部に位置されている。
【００７１】
第１の取付突部１７、１７の前面にはそれぞれ位置決めピン１７ａ、１７ａと螺穴１７ｂ、１７ｂが形成されている。
【００７２】
第２の取付突部１８、１８の対向する面、即ち、上側の第２の取付突部１８の下面と下側の第２の取付突部１８の上面とにはそれぞれ互いに近付く方向へ突出された規制部１８ａ、１８ａが設けられている。規制部１８ａ、１８ａは支持ベース１１の左右方向における中央部に位置されている。
【００７３】
第２の取付突部１８、１８の前端部にはそれぞれ互いに近付く方向へ突出された押さえ部１８ｂ、１８ｂが設けられ、押さえ部１８ｂ、１８ｂはそれぞれ規制部１８ａ、１８ａの側方に位置されている。
【００７４】
第２の取付突部１８、１８の前面にはそれぞれ螺穴１８ｃ、１８ｃが形成されている。
【００７５】
ベース面部１６の後面からはケース部１９が後方へ向けて突出されている。ケース部１９は環状に形成されている。
【００７６】
第１の駆動アーム１２は略左右方向に延び前後方向を向く板状に形成され、左右方向における中央部に前後に貫通された軸支持孔１２ａが形成されている。軸支持孔１２ａは支持ベース１１に対する第１の駆動アーム１２の回動支点として機能する。
【００７７】
第１の駆動アーム１２の左端部には前方へ突出された軸状の第１の連結部１２ｂが設けられ、第１の駆動アーム１２の右端部には前方へ突出された軸状の第２の連結部１２ｃが設けられている。
【００７８】
第１の駆動アーム１２の左右方向における中央部には上方へ突出された被規制突片１２ｄが設けられている。
【００７９】
第１の駆動アーム１２は軸支持孔１２ａに上側の支持軸１６ｃが後方から挿入され、支持ベース１１のベース面部１６における開口部１６ａ、１６ａの上側の部分において軸支持孔１２ａを回動支点として回動自在に支持される。
【００８０】
第２の駆動アーム１３は略左右方向に延び前後方向を向く板状に形成され、左右方向における中央部に前後に貫通された軸支持孔１３ａが形成され、軸支持孔１３ａは支持ベース１１に対する第２の駆動アーム１３の回動支点として機能する。
【００８１】
第２の駆動アーム１３の右端部には前方へ突出された軸状の第１の連結部１３ｂが設けられ、第２の駆動アーム１３の左端部には前方へ突出された軸状の第２の連結部１３ｃが設けられている。
【００８２】
第２の駆動アーム１３の左右方向における中央部には下方へ突出された被規制突片１３ｄが設けられている。
【００８３】
第２の駆動アーム１３には軸支持孔１３ａの側方に前後に貫通された作用孔１３ｅが形成されている。作用孔１３ｅは長孔状に形成されている。
【００８４】
第２の駆動アーム１３は軸支持孔１３ａに下側の支持軸１６ｃが後方から挿入され、支持ベース１１のベース面部１６における開口部１６ａ、１６ａの下側の部分において軸支持孔１３ａを回動支点として回動自在に支持される。
【００８５】
第１の駆動アーム１２の回動支点（軸支持孔１２ａ）と第２の駆動アーム１３の回動支点（軸支持孔１３ａ）は開口部１６ａ、１６ａの開口方向から見て開口部１６ａ、１６ａの間に位置されている（図５参照）。
【００８６】
尚、上記には、第１の駆動アーム１２の回動支点と第２の駆動アーム１３の回動支点が開口部１６ａ、１６ａ間に位置された例を示したが、例えば、第１の駆動アーム１２の回動支点又は第２の駆動アーム１３の回動支点の一方が開口部１６ａ、１６ａ間に位置されていてもよい（図６参照）。
【００８７】
図６には、例として、第１の駆動アーム１２の回動支点（軸支持孔１２ａ）が開口部１６ａ、１６ａの間に位置され、第２の駆動アーム１３の回動支点（軸支持孔１３ａ）が開口部１６ａ、１６ａの間より下方に位置されている状態を示す。
【００８８】
上記のように、第１の駆動アーム１２と第２の駆動アーム１３がそれぞれ支持ベース１１に回動自在に支持された状態においては、被規制突片１２ｄ、１３ｄの前側にそれぞれ規制部１８ａ、１８ａが位置される（図５及び図８参照）。このように被規制突片１２ｄ、１３ｄの前側にそれぞれ規制部１８ａ、１８ａが位置されることにより、第１の駆動アーム１２と第２の駆動アーム１３の回動範囲において、第１の駆動アーム１２と第２の駆動アーム１３の支持ベース１１に対する浮き上がりが防止される。
【００８９】
従って、第１の駆動アーム１２と第２の駆動アーム１３の回動時に、厚み方向に波打つように変位する不必要な動作が抑制され第１の駆動アーム１２と第２の駆動アーム１３の適正な回動動作を確保することができる。
【００９０】
また、第１の駆動アーム１２と第２の駆動アーム１３が略左右方向、即ち、開口部１６ａ、１６ａの略並び方向に延びる形状に形成され、第１の駆動アーム１２と第２の駆動アーム１３の回動支点が長手方向における中央部に形成され、規制部１８ａ、１８ａが第１の駆動アーム１２と第２の駆動アーム１３の長手方向における中央部に対向して位置されている。
【００９１】
従って、それぞれ一つずつの規制部１８ａ、１８ａによって第１の駆動アーム１２と第２の駆動アーム１３の支持ベース１１に対する浮き上がりを効率的に防止することができる。
【００９２】
第１の遮蔽部材１４は横長の略矩形の板状の遮光部２０と遮光部２０の左端部から下方へ突出された連結用突部２１とから成る。連結用突部２１は前面が遮光部２０の前面より稍後側に位置するように形成されている。
【００９３】
遮光部２０の左端部と連結用突部２１の下端部とにはそれぞれ前後に貫通された連結孔２０ａ、２１ａが形成されている。
【００９４】
遮光部２０の下縁には左右方向における中央を挟んで左右に突状部２０ｂと凹状部２０ｃが形成されている（図７参照）。突状部２０ｂは遮光部２０の厚み方向における後側半分の部分に設けられ、凹状部２０ｃは遮光部２０の厚み方向における後側半分の部分において下方及び後方に開口する形状に形成されている。
【００９５】
連結用突部２１の下端寄りの位置には前方へ突出された摺動突部２１ｂが設けられている。
【００９６】
第１の遮蔽部材１４は、図２及び図３に示すように、連結孔２０ａ、２１ａにそれぞれ第１の駆動アーム１２の第１の連結部１２ｂと第２の駆動アーム１３の第２の連結部１３ｃとが後方から挿入されて第１の駆動アーム１２と第２の駆動アーム１３に連結される。
【００９７】
第１の遮蔽部材１４が第１の駆動アーム１２と第２の駆動アーム１３に連結された状態においては、第１の駆動アーム１２と第２の駆動アーム１３がそれぞれ第１の連結部１２ｂと第２の連結部１３ｃを支点として第１の遮蔽部材１４に対して回動可能とされる。
【００９８】
第２の遮蔽部材１５は横長の略矩形の板状の遮光部２２と遮光部２２の右端部から上方へ突出された連結用突部２３とから成る。連結用突部２３は前面が遮光部２２の前面より稍後側に位置するように形成されている。
【００９９】
遮光部２２の右端部と連結用突部２３の上端部とにはそれぞれ前後に貫通された連結孔２２ａ、２３ａが形成されている。
【０１００】
遮光部２２の上縁には左右方向における中央を挟んで左右に凹状部２２ｂと突状部２２ｃが形成されている（図７参照）。凹状部２２ｃは遮光部２２の厚み方向における後側半分の部分において上方及び後方に開口する形状に形成され、突状部２２ｂは遮光部２２の厚み方向における後側半分の部分に設けられている。
【０１０１】
連結用突部２３の上端寄りの位置には前方へ突出された摺動突部２３ｂが設けられている。
【０１０２】
第２の遮蔽部材１５は、図２及び図３に示すように、連結孔２２ａ、２３ａにそれぞれ第２の駆動アーム１３の第１の連結部１３ｂと第１の駆動アーム１２の第２の連結部１２ｃとが後方から挿入されて第２の駆動アーム１３と第１の駆動アーム１２に連結される。
【０１０３】
第２の遮蔽部材１５が第２の駆動アーム１３と第１の駆動アーム１２に連結された状態においては、第２の駆動アーム１３と第１の駆動アーム１２がそれぞれ第１の連結部１３ｂと第２の連結部１２ｃを支点として第１の遮蔽部材１５に対して回動可能とされる。
【０１０４】
第１の遮蔽部材１４は遮光部２０の右端部２０ｄが第２の遮蔽部材１５の連結用突部２３に前側から重ねられ、第２の遮蔽部材１５は遮光部２２の左端部２２ｄが第１の遮蔽部材１４の連結用突部２１に前側から重ねられ、遮光部２０と遮光部２２が前後方向において同じ位置に位置される。
【０１０５】
上記のように、第１の遮蔽部材１４と第２の遮蔽部材１５がそれぞれ支持ベース１１に支持された第１の駆動アーム１２と第２の駆動アーム１３に連結された状態においては、遮光部２０の上縁と遮光部２２の下縁との前側にそれぞれ支持ベース１１の第２の取付突部１８、１８に設けられた押さえ部１８ｂ、１８ｂが位置される（図５及び図８参照）。
【０１０６】
従って、第１の遮蔽部材１４と第２の遮蔽部材１５の支持ベース１１からの脱落が防止され、バリア装置５の組立時において第１の遮蔽部材１４と第２の遮蔽部材１５の第１の駆動アーム１２と第２の駆動アーム１３に対する連結状態が解除され難く、組立性の向上を図ることができる。
【０１０７】
上記したように、支持ベース１１に第１の駆動アーム１２と第２の駆動アーム１３が支持され第１の駆動アーム１２と第２の駆動アーム１３が第１の遮蔽部材１４と第２の遮蔽部材１５に連結された状態において、支持ベース１１に前方から押さえカバー２４が取り付けられる（図２及び図４参照）。
【０１０８】
押さえカバー２４は前後方向を向く板状の横長の枠状に形成され、左右両端部にそれぞれ位置決め孔２４ａ、２４ａを有し、左右両端部と上下両端部にそれぞれネジ挿通孔２４ｂ、２４ｂ、・・・を有している。
【０１０９】
押さえカバー２４は、位置決めピン１７ａ、１７ａがそれぞれ位置決め孔２４ａ、２４ａに挿通されて支持ベース１１に対して位置決めされ、取付ネジ２５、２５、・・・がそれぞれネジ挿通孔２４ｂ、２４ｂ、・・・を挿通され螺穴１７ｂ、１７ｂ、１８ｃ、１８ｃに螺合されて第１の取付突部１７、１７と第２の取付突部１８、１８に取り付けられる。尚、押さえカバー２４の支持ベース１１への取付はネジ止めに限られることはなく、接着等の他の手段を用いることも可能である。
【０１１０】
押さえカバー２４が支持ベース１１に取り付けられることにより、押さえカバー２４によって第１の駆動アーム１２、第２の駆動アーム１３、第１の遮蔽部材１４及び第２の遮蔽部材１５の支持ベース１１からの脱落が防止される。押さえカバー２４が支持ベース１１に取り付けられた状態においては、支持ベース１１に形成された開口部１６ａ、１６ａの一部が閉塞される。
【０１１１】
ケース部１９にはアクチュエーター２６が後方から挿入されて配置される（図２参照）。アクチュエーター２６はヨーク２７、２７とヨーク２７、２７間に保持された駆動コイル２８とヨーク２７、２７間に配置された円筒状の回転マグネット２９とを有している。回転マグネット２９には前方へ突出された作用ピン２９ａが設けられている。回転マグネット２９は、例えば、周方向においてＮ極とＳ極に着磁されている。
【０１１２】
ケース部１９にアクチュエーター２６が配置された状態においては、回転マグネット２９がケース部１９の内部に設けられた図示しない軸部に回転自在に支持され、作用ピン２９ａがベース面部１６に形成された挿通孔１６ｄから前方へ突出されて第２の駆動アーム１３の作用孔１３ｅに挿入される（図５参照）。
【０１１３】
ケース部１９に配置されたアクチュエーター２６はケース部１９の後端部に取り付けられる閉塞カバー３０によって閉塞される（図２参照）。閉塞カバー３０は、例えば、取付ネジ３１によってケース部１９に取り付けられる。
【０１１４】
上記のように構成されたバリア装置５は、第１のレンズ鏡筒３と第２のレンズ鏡筒４の前端部にネジ止め等によって取り付けられる。バリア装置５が第１のレンズ鏡筒３と第２のレンズ鏡筒４に取り付けられた状態においては、図１に示すように、支持ベース１１に形成された開口部１６ａ、１６ａがそれぞれ第１のレンズ９と第２のレンズ１０の前側に位置される。
【０１１５】
アクチュエーター２６は駆動コイル２８の通電方向に応じてヨーク２７、２７の着磁状態が切り替えられることにより回転マグネット２９が回転されるように構成されている。
【０１１６】
駆動コイル２８に一方の通電方向への駆動電流が供給されると、回転マグネット２９が一方へ回転され、作用ピン２９ａが作用孔１３ｅの開口縁を一方へ押圧することにより第２の駆動アーム１３が軸支持孔１３ａを支点として一方へ回動される。第２の駆動アーム１３が一方、例えば、前方から見て時計回り方向へ回動されるときには、第１の遮蔽部材１４が略下方へ移動されると共に第２の遮蔽部材１５が略上方へ移動され遮光部２０と遮光部２２が互いに近付く方向へ閉塞位置まで移動される。このとき第１の駆動アーム１２は軸支持孔１２ａを支点として第２の駆動アーム１３と同じ方向へ回動される。
【０１１７】
一方、駆動コイル２８に他方の通電方向への駆動電流が供給されると、回転マグネット２９が他方へ回転され、作用ピン２９ａが作用孔１３ｅの開口縁を他方へ押圧することにより第２の駆動アーム１３が軸支持孔１３ａを支点として他方へ回動される。第２の駆動アーム１３が他方、例えば、前方から見て反時計回り方向へ回動されるときには、第１の遮蔽部材１４が略上方へ移動されると共に第２の遮蔽部材１５が略下方へ移動され遮光部２０と遮光部２２が互いに離隔する方向へ開放位置まで移動される。このとき第１の駆動アーム１２は軸支持孔１２ａを支点として第２の駆動アーム１３と同じ方向へ回動される。
【０１１８】
［バリア装置の動作］
以下に、バリア装置５の動作について説明する（図９乃至図１２参照）。
【０１１９】
撮影が行われない状態においては、バリア装置５によって開口部１６ａ、１６ａが閉塞されている。このとき第１の駆動アーム１２は第１の連結部１２ｂが第２の連結部１２ｃより下方に位置する状態とされ（図９参照）、第１の駆動アーム１２の上縁の右端寄りの部分が支持ベース１１における右側に位置するストッパー突部１６ｅに接することにより前方から見た時計回り方向への回動が規制されている。従って、第１の遮蔽部材１４が下方の移動端に保持され第２の遮蔽部材１５が上方の移動端に保持され、第１の遮蔽部材１４と第２の遮蔽部材１５が閉塞位置にある。
【０１２０】
尚、バリア装置５においては、第１の遮蔽部材１４の遮光部２０の下縁と第２の遮蔽部材１５の遮光部２２の上縁とが突き合わされて接触されることにより、第１の駆動アーム１２と第２の駆動アーム１３の回動が規制されると共に第１の遮蔽部材１４と第２の遮蔽部材１５が閉塞位置に保持されるようにすることも可能である。
【０１２１】
閉塞位置においては、図９及び図１０に示すように、第１の遮蔽部材１４における遮光部２０の突状部２０ｂが第２の遮蔽部材１５における遮光部２２の凹状部２２ｂに嵌合されると共に第２の遮蔽部材１５における遮光部２２の突状部２２ｃが第１の遮蔽部材１４における遮光部２０の凹状部２０ｃに嵌合され、遮光部２０の下縁と遮光部２２の上縁とが密着された状態に保持されている。
【０１２２】
上記した閉塞位置において駆動コイル２８に駆動電流が供給されると、回転マグネット２９が回転され、作用ピン２９ａが第２の駆動アーム１３の作用孔１３ｅの開口縁を上方へ押圧することにより第２の駆動アーム１３が軸支持孔１３ａを支点として反時計回り方向へ回動される。
【０１２３】
第２の駆動アーム１３が回動されると、第１の遮蔽部材１４が上方へ移動されると共に第２の遮蔽部材１５が下方へ移動され第１の駆動アーム１２が第２の駆動アーム１３と同じ方向へ軸支持孔１２ａを支点として回動される（図１１参照）。第１の駆動アーム１２は第１の連結部１２ｂが第２の連結部１２ｃより上方に位置する状態とされ、第１の駆動アーム１２の上縁の左端寄りの部分が支持ベース１１における左側に位置するストッパー突部１６ｅに接することにより反時計回り方向への回動が規制される。従って、第１の遮蔽部材１４が上方の移動端に保持され第２の遮蔽部材１５が下方の移動端に保持され、第１の遮蔽部材１４と第２の遮蔽部材１５が開放位置に保持される（図１１及び図１２参照）。
【０１２４】
第１の遮蔽部材１４と第２の遮蔽部材１５が開放位置まで移動されることにより、開口部１６ａ、１６ａが同時に開放され、撮影が可能な状態とされる。
【０１２５】
上記した開放位置において駆動コイル２８に上記とは逆方向へ駆動電流が供給されると、回転マグネット２９が上記と逆方向へ回転され、第１の駆動アーム１２と第２の駆動アーム１３が時計回り方向へ回動され第１の遮蔽部材１４が下方へ移動されると共に第２の遮蔽部材１５が上方へ移動されて閉塞位置に戻る。
【０１２６】
［その他］
上記には、アクチュエーター２６が支持ベース１１の左右方向における中央部以外の位置に配置された例を示したが、アクチュエーター２６の位置はこのような位置に限られることはなく、例えば、図１３に示すように、支持ベース１１の左右方向における中央部に配置することも可能である。
【０１２７】
支持ベース１１の左右方向における中央部、即ち、開口部１６ａ、１６ａ間に配置されたアクチュエーター２６Ａは、ヨーク２７Ａ、２７Ａとヨーク２７Ａ、２７Ａ間に保持された駆動コイル２８とヨーク２７Ａ、２７Ａ間に配置された回転マグネット２９とを有している。ヨーク２７Ａ、２７Ａは略上下に延びるように形成され、上下両端部がそれぞれベース面部１６の上下両端部の背面側に位置され中間部がベース面部１６の膨出部１６ｂの背面側に位置されている。
【０１２８】
アクチュエーター２６Ａにおいては、駆動コイル２８が、例えば、ヨーク２７Ａ、２７Ａの上端部間に配置され、回転マグネット２９が、例えば、ヨーク２７Ａ、２７Ａの下端部間に配置されている。
【０１２９】
このように支持ベース１１の左右方向における中央部、即ち、開口部１６ａ、１６ａ間に配置されたアクチュエーター２６Ａを設けることにより、アクチュエーター２６Ａの良好な磁気バランスを確保することができる。
【０１３０】
また、開口部１６ａ、１６ａ間にはスペースが存在するため、このスペースにアクチュエーター２６Ａを配置してスペースの有効活用を図ることにより、撮像装置１の小型化を図ることができる。
【０１３１】
また、上記には、突状部２０ｂ、２２ｃがそれぞれ遮光部２０、２２の厚み方向における後側半分の部分に設けられ、凹状部２０ｃ、２２ｂがそれぞれ遮光部２０、２２の厚み方向における後側半分の部分において後方に開口する形状に形成された例を示した。
【０１３２】
しかしながら、図１４及び図１５に示すように、第１の遮蔽部材１４Ａと第２の遮蔽部材１５Ａにおいて、突状部２０ｂ、２２ｃがそれぞれ遮光部２０Ａ、２２Ａの厚み方向における前側半分の部分に設けられ、凹状部２０ｃ、２２ｂがそれぞれ遮光部２０Ａ、２２Ａの厚み方向における前側半分の部分において前方に開口する形状に形成されるようにしてもよい。
遮蔽部材１４Ａと遮蔽部材１５Ａは第１の光路と第２の光路を同時に開閉する開閉部として機能する。
【０１３３】
上記のような第１の遮蔽部材１４Ａと第２の遮蔽部材１５Ａを用いることにより、閉塞位置において、第１の遮蔽部材１４Ａと第２の遮蔽部材１５Ａにおける遮光部２０Ａ、２２Ａの右端部２０ｄと左端部２２ｄがそれぞれ連結用突部２３、２１に前側から重ねられ、突状部２０ｂ、２２ｃがそれぞれ凹状部２０ｃ、２２ｂに後側から重ねられて嵌合される。
【０１３４】
従って、第１の遮蔽部材１４Ａと第２の遮蔽部材１５Ａを用いることにより、閉塞位置において、第１の遮蔽部材１４Ａと第２の遮蔽部材１５Ａの重なる方向が、重なる部分によって厚み方向（前後方向）において反対方向とされるため、閉塞位置における第１の遮蔽部材１４Ａと第２の遮蔽部材１５Ａの密着性が向上し、閉塞状態の安定化を図ることができる。
【０１３５】
尚、上記には、遮光部２０Ａ、２２Ａがそれぞれ連結用突部２３、２１に前側から重ねられ、突状部２０ｂ、２２ｃがそれぞれ凹状部２０ｃ、２２ｂに後側から重ねられた例を示したが、逆に、遮光部２０Ａ、２２Ａがそれぞれ連結用突部２３、２１に後側から重ねられ、突状部２０ｂ、２２ｃがそれぞれ凹状部２０ｃ、２２ｂに前側から重ねられるように構成することも可能である。
【０１３６】
［まとめ］
以上に記載した通り、撮像装置１にあっては、被写体の像を導く第１の光学系の第１の光路と、第１の光路と異なる像を導く第２の光学系の第２の光路とを同時に開閉する開閉部として機能する遮蔽部材１４、１５と、遮蔽部材１４、１５と連結され所定の方向へ移動されて遮蔽部材１４、１５を動作させる駆動機構として機能する駆動アーム１２、１３とを設けている。
【０１３７】
従って、開口部１６ａ、１６ａ（第１の光路と第２の光路）のうちの一方が開放されたときに他方が開放されないと言うような不具合の発生を防止することができ、遮蔽部材１４、１５の動作により常に所望の撮影状態を確保することができる。
【０１３８】
また、第１の光路と第２の光路の開放時において両者の開放タイミングに時間差が生じると言うような不具合の発生を防止することができ、撮影の開始までの時間の遅れを生じることがなく良好な撮影の機会を確保することができる。
【０１３９】
また、撮像装置１にあっては、一対の駆動アーム１２、１３と一対の遮蔽部材１４、１５によって平行リンク機構を構成している。
【０１４０】
従って、第１の光路と第２の光路を同時に開閉する機構として最適な機構が用いられており、簡素な機構によって第１の光路と第２の光路を同時に容易に開閉することができる。
【０１４１】
さらに、撮像装置１にあっては、第１の駆動アーム１２と第２の駆動アーム１３がそれぞれ回動可能とされ、第１の駆動アーム１２と第２の駆動アーム１３の回動支点を挟んだ反対側にそれぞれ第１の連結部１２ｂ、１３ｂと第２の連結部１２ｃ、１３ｃを設けている。また、第１の駆動アーム１２は第１の連結部１２ｂが第１の遮蔽部材１４と回動可能な状態で連結され第２の連結部１２ｃが第２の遮蔽部材１５と回動可能な状態で連結され、第２の駆動アーム１３は第１の連結部１３ｂが第２の遮蔽部材１５と回動可能な状態で連結され第２の連結部１３ｃが第１の遮蔽部材１４と回動可能な状態で連結されている。
【０１４２】
従って、平行リンク機構の一部として設けられた第１の遮蔽部材１４と第２の遮蔽部材１５を第１の駆動アーム１２と第２の駆動アーム１３によって確実かつ容易に移動させることが可能であり、第１の遮蔽部材１４と第２の遮蔽部材１５の動作の適正化を図ることができる。
さらにまた、第１の駆動アーム１２と第２の駆動アーム１３がそれぞれ所定の面に沿ってそれぞれ回動可能とされ、駆動アーム１２、１３の少なくとも一方の回動支点が開口部１６ａ、１６ａの開口方向から見て開口部１６ａ、１６ａの間に位置するようにしている。
【０１４３】
従って、開口部１６ａ、１６ａ間にはスペースが存在するため、このスペースに第１の駆動アーム１２と第２の駆動アーム１３の少なくとも一方の回動支点を設けることにより、スペースの有効活用による撮像装置１の小型化を図ることができる。
【０１４４】
加えて、第１の駆動アーム１２と第２の駆動アーム１３の各回動支点を、開口部１６ａ、１６ａの開口方向に直交し開口部１６ａ、１６ａの並び方向に直交する方向（上下方向）において離隔する位置に設けている。
【０１４５】
従って、開口部１６ａ、１６ａの並び方向、即ち、左右方向のスペースを最小化することが可能であり、撮像装置１の一層の小型化を図ることができる。
【０１４６】
［撮像装置の一実施形態］
図１６に、本発明撮像装置の一実施形態によるビデオカメラのブロック図を示す。
【０１４７】
撮像装置（ビデオカメラ）１００は、撮像機能を担うカメラブロック３０と、撮影された画像信号のアナログ−デジタル変換等の信号処理を行うカメラ信号処理部３１と、画像信号の記録再生処理を行う画像処理部３２とを有している。また、撮像装置１００は、撮影された画像等を表示する液晶パネル等の画像表示部３３と、メモリーカード１０００への画像信号の書込及び読出を行うＲ／Ｗ（リーダ／ライタ）３４と、撮像装置の全体を制御するＣＰＵ（Central Processing Unit）３５と、ユーザーによって所要の操作が行われる各種のスイッチ等から成る入力部３６と、カメラブロック３０に配置されたレンズの駆動を制御するレンズ駆動制御部３７とを備えている。
【０１４８】
カメラブロック３０は、レンズ群３８を含む光学系や、ＣＣＤ（Charge Coupled Device）やＣＭＯＳ（Complementary Metal-Oxide Semiconductor）等の撮像素子３９等とによって構成されている。
【０１４９】
カメラ信号処理部３１は、撮像素子３９からの出力信号に対するデジタル信号への変換、ノイズ除去、画質補正、輝度・色差信号への変換等の各種の信号処理を行う。
【０１５０】
画像処理部３２は、所定の画像データーフォーマットに基づく画像信号の圧縮符号化・伸張復号化処理や解像度等のデーター仕様の変換処理等を行う。
【０１５１】
画像表示部３３はユーザーの入力部３６に対する操作状態や撮影した画像等の各種のデーターを表示する機能を有している。
【０１５２】
Ｒ／Ｗ３４は、画像処理部３２によって符号化された画像データーのメモリーカード１０００への書込及びメモリーカード１０００に記録された画像データーの読出を行う。
【０１５３】
ＣＰＵ３５は、撮像装置１００に設けられた各回路ブロックを制御する制御処理部として機能し、入力部３６からの指示入力信号等に基づいて各回路ブロックを制御する。
【０１５４】
入力部３６は、例えば、シャッター操作を行うためのシャッターレリーズボタンや、動作モードを選択するための選択スイッチ等によって構成され、ユーザーによる操作に応じた指示入力信号をＣＰＵ３５に対して出力する。
【０１５５】
レンズ駆動制御部３７は、ＣＰＵ３５からの制御信号に基づいてレンズ群３８の各レンズを駆動する図示しないモータ等を制御する。
【０１５６】
メモリーカード１０００は、例えば、Ｒ／Ｗ３４に接続されたスロットに対して着脱可能な半導体メモリーである。
【０１５７】
以下に、撮像装置１００における動作を説明する。
【０１５８】
撮影の待機状態では、ＣＰＵ３５による制御の下で、カメラブロック３０において撮影された画像信号が、カメラ信号処理部３１を介して画像表示部３３に出力され、カメラスルー画像として表示される。また、入力部３６からのズーミングのための指示入力信号が入力されると、ＣＰＵ３５がレンズ駆動制御部３７に制御信号を出力し、レンズ駆動制御部３７の制御に基づいてレンズ群３８の所定のレンズが移動される。
【０１５９】
入力部３６からの指示入力信号によりカメラブロック３０の図示しないシャッターが動作されると、撮影された画像信号がカメラ信号処理部３１から画像処理部３２に出力されて圧縮符号化処理され、所定のデーターフォーマットのデジタルデーターに変換される。変換されたデーターはＲ／Ｗ３４に出力され、メモリーカード１０００に書き込まれる。
【０１６０】
尚、フォーカシングは、ＣＰＵ３５からの制御信号に基づいてレンズ駆動制御部３７がレンズ群３８の所定のレンズを移動させることにより行われる。
【０１６１】
メモリーカード１０００に記録された画像データーを再生する場合には、入力部３６に対する操作に応じて、Ｒ／Ｗ３４によってメモリーカード１０００から所定の画像データーが読み出され、画像処理部３２によって伸張復号化処理が行われた後、再生画像信号が画像表示部３３に出力されて再生画像が表示される。
【０１６２】
尚、上記した技術は、非撮影時にレンズの保護を行う装置としての用途の他、例えば、レンズ鏡筒の内部等に配置され羽根の開閉を行うことにより光量の調節を行うアイリスやシャッター等の用途としても用いることが可能である。
【０１６３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１６４】
【図１】図２乃至図１６と共に本発明の最良の形態を示すものであり、本図は、撮像装置の概略斜視図である。
【図２】バリア装置の分解斜視図である。
【図３】支持ベースと一対の駆動アームと一対の遮蔽部材を示す拡大分解斜視図である。
【図４】バリア装置の斜視図である。
【図５】一部を省略して示すバリア装置の正面図である。
【図６】一部を省略して示すバリア装置の別の例の正面図である。
【図７】第１の遮蔽部材と第２の遮蔽部材の拡大斜視図である。
【図８】バリア装置の一部を示す拡大断面図である。
【図９】第１の遮蔽部材と第２の遮蔽部材が閉塞位置にあるときの正面図である。
【図１０】第１の遮蔽部材と第２の遮蔽部材が閉塞位置にあるときの断面図である。
【図１１】第１の遮蔽部材と第２の遮蔽部材が開放位置にあるときの正面図である。
【図１２】第１の遮蔽部材と第２の遮蔽部材が開放位置にあるときの断面図である。
【図１３】アクチュエーターが支持ベースの中央部に配置された例を示す概略正面図である。
【図１４】突状部と凹状部が異なる位置に形成された第１の遮蔽部材と第２の遮蔽部材の例を示す拡大斜視図である。
【図１５】突状部と凹状部が異なる位置に形成された第１の遮蔽部材と第２の遮蔽部材の例を閉塞位置において示す拡大斜視図である。
【図１６】撮像装置のブロック図である。
【符号の説明】
【０１６５】
１…撮像装置、３…第１のレンズ鏡筒、４…第２のレンズ鏡筒、５…バリア装置、９…第１のレンズ、１０…第２のレンズ、１１…支持ベース、１２…第１の駆動アーム、１２ａ…軸支持孔（回動支点）、１２ｂ…第１の連結部、１２ｃ…第２の連結部、１３…第２の駆動アーム、１３ａ…軸支持孔（回動支点）、１３ｂ…第１の連結部、１３ｃ…第２の連結部、１４…第１の遮蔽部材、１５…第２の遮蔽部材、１８ａ…規制部、１８ｂ…押さえ部、２０…遮光部、２１…連結用突部、２２…遮光部、２３…連結用突部、２６…アクチュエーター、２６Ａ…アクチュエーター、１４Ａ…第１の遮蔽部材、１５Ａ…第２の遮蔽部材、２０Ａ…遮光部、２２Ａ…遮光部、１００…撮像装置
【図１】
2012141424.tif 000003
【図２】
2012141424.tif 000004
【図３】
2012141424.tif 000005
【図４】
2012141424.tif 000006
【図５】
2012141424.tif 000007
【図６】
2012141424.tif 000008
【図７】
2012141424.tif 000009
【図８】
2012141424.tif 000010
【図９】
2012141424.tif 000011
【図１０】
2012141424.tif 000012
【図１１】
2012141424.tif 000013
【図１２】
2012141424.tif 000014
【図１３】
2012141424.tif 000015
【図１４】
2012141424.tif 000016
【図１５】
2012141424.tif 000017
【図１６】
2012141424.tif 000018